(57)【要約】【課題】装置本体の動作に応じてユーザがバックライトを所望の状態で点灯させることができ、ユーザに装置本体の動作状態等の情報を視覚的に提供できるテープ印刷装置を提供すること。【解決手段】モード設定手段として動作するＣＰＵ７８によって入出力ポート７５を介して表示部駆動回路３４ｓに適宜コマンド信号が送信され、表示部駆動回路３４ｓが当該コマンド信号に従って表示部３４を駆動することにより、表示部３４上にはメニュー画面としてバックライト設定を受け付ける表示がなされ、ユーザは、キーボード３３を適宜操作することにより種々の設定が可能である。【選択図】図４
2008213251.tif 000002
【特許請求の範囲】
【請求項１】
印刷に関する内容を表示可能な表示部と、複数の固体発光素子を有し複数色の光を射出するとともに、前記表示部を照明する光源とを備える表示装置と、
テープ状部材に前記表示部に表示された内容に対応する画像の印刷を行う印刷装置を含む装置本体と、
前記装置本体の動作に対応する前記光源の点灯色を含む点灯条件が指定される点灯モードを設定するモード設定手段と、前記モード設定手段による設定に応じて前記光源の制御を行う光源制御手段とを有する制御装置と
を備えるテープ印刷装置。
【請求項２】
前記光源は、前記複数の固体発光素子の組み合わせにより複数色で点灯し、前記光源制御手段は、前記点灯条件に応じて前記光源の発光色を変えて点灯させる請求項１記載のテープ印刷装置。
【請求項３】
前記制御装置は、前記モード設定手段における前記点灯モードの設定において前記光源の色調整の指定を許諾する請求項２記載のテープ印刷装置。
【請求項４】
前記制御装置は、前記モード設定手段における前記点灯モードの設定において前記光源の点灯タイミングの指定を許諾する請求項１から請求項３のいずれか一項記載のテープ印刷装置。
【請求項５】
前記制御装置は、前記モード設定手段における前記点灯モードの設定において前記光源の光量調整の指定を許諾する請求項１から請求項４のいずれか一項記載のテープ印刷装置。
【請求項６】
前記制御装置は、前記モード設定手段における前記点灯モードの設定に対応して前記光源の点灯間隔調整を行う請求項１から請求項５のいずれか一項記載のテープ印刷装置。
【請求項７】
前記光源制御手段は、前記装置本体が待機状態であるとき、前記光源を通常の表示動作状態における発光色で点灯させ、前記装置本体が非待機状態であるとき、前記光源を非通常の表示動作状態における発光色で点灯させる請求項１から請求項６のいずれか一項記載のテープ印刷装置。
【請求項８】
前記モード設定手段は、前記通常の表示動作状態における発光色の設定色として白色を含む請求項７記載のテープ印刷装置。
【請求項９】
前記光源制御手段は、前記光源を、前記装置本体の印字動作時に有彩の第１色で点灯させ、テープカット動作時に有彩の第２色で点灯させ、テープカット完了時に有彩の第３色で点灯させる請求項７及び請求項８のいずれか一項記載のテープ印刷装置。
【発明の詳細な説明】
【技術分野】
【０００１】
本発明は、入力されたデータに基づいてテープ状の部材に印刷を行うテープ印刷装置に関する。
【背景技術】
【０００２】
従来の印刷装置において、表示部分をバックライトにより照明するものが存在する。また、従来、液晶表示部を備えたプリンタにおいて、エラーが発生した場合に、エラーの種類によって異なる色で液晶表示部のバックライトを点灯または点滅させるものが知られている（特許文献１参照）。
【特許文献１】特開２００３−３２０７３９号公報
【発明の開示】
【発明が解決しようとする課題】
【０００３】
しかしながら、エラー発生動作中に異なる色のバックライトを点灯または点滅させる場合において、ユーザは、バックライトの点灯または点滅が生じることによってエラーの発生を認識するという受動的な立場であり、例えば、バックライトの動作条件や動作内容に
関してユーザ自らが能動的に関与するようなものとはならない。
【０００４】
そこで、本発明は、装置本体の動作に応じてユーザがバックライトを所望の状態で点灯させることができ、ユーザに装置本体の動作状態等の情報を視覚的に提供できるテープ印刷装置を提供することを目的とする。
【課題を解決するための手段】
【０００５】
上記課題を解決するために、本発明に係るテープ印刷装置は、（ａ）印刷に関する内容を表示可能な表示部と、複数の固体発光素子を有し複数色の光を射出するとともに、表示部を照明する光源とを備える表示装置と、（ｂ）テープ状部材に表示部に表示された内容に対応する画像の印刷を行う印刷装置を含む装置本体と、（ｃ）装置本体の動作に対応する光源の点灯色を含む点灯条件が指定される点灯モードを設定するモード設定手段と、モード設定手段による設定に応じて光源の制御を行う光源制御手段とを有する制御装置とを備える。
【０００６】
上記テープ印刷装置では、まず、表示装置が、印刷に関する内容や各種設定におけるメニュー項目等を表示する表示部を、バックライトとしての光源により照明するという構成になっているため、表示文字の視認性が向上する。また、本願発明では、特に、モード設定手段により、装置本体の動作に対応して光源の点灯色等種々の点灯条件が指定される点灯モードを設定することができるので、ユーザは、バックライトの表示状態に関する詳細設定を装置本体の動作に応じて行わせるものとすることができる。尚、ここで、装置本体とは、テープ印刷装置の主たる構成要件を示すものであり、主にテープ状部材への印字動作を行う印刷装置や、印字動作の後、テープ状部材をカットするカット機構のような印刷動作において主要な役割を担うものを指す。
【０００７】
また、本発明の具体的な態様として、光源が、複数の固体発光素子の組み合わせにより複数色で点灯し、光源制御手段は、点灯条件に応じて光源の発光色を変えて点灯させる。この場合、複数の固体発光素子を組み合わせることにより多種類の色の光を発生することができ、点灯条件に応じて様々な色の光を使い分けることができる。
【０００８】
また、本発明の具体的な態様として、制御装置が、モード設定手段における点灯モードの設定において光源の色調整の指定を許諾する。この場合、ユーザは、点灯モードの設定において自己の選択により光源の色調整の指定をすることができる。従って、個々のユーザに適合させて使い勝手の良いテープ印刷装置を提供することができる。
【０００９】
また、本発明の具体的な態様として、制御装置が、モード設定手段における点灯モードの設定において光源の点灯タイミングの指定を許諾する。この場合、ユーザは、点灯モードの設定において自己の選択により光源の点灯タイミングを指定することができる。従って、個々のユーザに適合させて使い勝手の良いテープ印刷装置を提供することができる。
【００１０】
また、本発明の具体的な態様として、制御装置が、モード設定手段における点灯モードの設定において光源の光量調整の指定を許諾する。この場合、ユーザは、点灯モードの設定において自己の選択により光源の光量調整の指定をすることができる。従って、個々のユーザに適合させて使い勝手の良いテープ印刷装置を提供することができる。
【００１１】
また、本発明の具体的な態様として、制御装置が、モード設定手段における点灯モードの設定に対応して光源の点灯間隔調整を行う。この場合、ユーザは、点灯モードの設定において自己の選択により光源の点灯間隔調整を行うことができる。従って、個々のユーザに適合させて使い勝手の良いテープ印刷装置を提供することができる。
【００１２】
また、本発明の具体的な態様として、光源制御手段が、装置本体が待機状態であるとき、光源を通常の表示動作状態における発光色で点灯させ、装置本体が非待機状態であるとき、光源を非通常の表示動作状態における発光色で点灯させる。この場合、装置本体が印刷動作などを行う非待機状態であるか否かによって光源の発光色を切り替えることができる。
【００１３】
また、本発明の具体的な態様として、モード設定手段が、通常の表示動作状態における発光色の設定色として白色を含む。この場合、通常の表示動作状態における発光色を白色にできるので、ユーザがキー入力等の操作を行う通常の表示動作状態において、キャラクタ等の表示画面上での表示対象を見やすい白色照明とすることができる。
【００１４】
また、本発明の具体的な態様として、光源制御手段が、光源を、装置本体の印字動作時に有彩の第１色で点灯させ、テープカット動作時に有彩の第２色で点灯させ、テープカット完了時に有彩の第３色で点灯させる。この場合、印字動作時、テープカット動作時及びテープカット完了時のそれぞれについて異なる態様の表示ができ、ユーザに対して印刷動作の状況の詳細を容易かつ端的に示すことができる。
【発明を実施するための最良の形態】
【００１５】
〔第１実施形態〕
図１は、本実施形態に係るテープ印刷装置の全体を示した斜視図である。また、図２（ａ）は、図１のテープ印刷装置の開閉蓋を開蓋したときの斜視図であり、図２（ｂ）は、テープ印刷装置に装填されるテープカートリッジを示す斜視図である。
【００１６】
図１及び図２に示すように、このテープ印刷装置１０は、上下２分割の装置ケース２０により外郭が形成され、開閉蓋となる上側ケース２１と、テープカートリッジＣが装填されるポケット４１等の機構部が配設された下側ケース２２とにより構成されている。
【００１７】
上側ケース２１の上面には、その手前側にキーボード３３が、中央部右側に表示部３４がそれぞれ配設されており、テープカートリッジＣの着脱時以外は、閉蓋状態で使用される。
【００１８】
キーボード３３は、下側ケース２２内に内蔵された制御系であるマイコンチップ等に対するデータ、指令等の情報を入力するためのものとなっている。このキーボード３３には、文字、記号、数字等を含むテキスト情報を入力するための文字キー群３１の他、各種の動作モードなどを指定するための機能キー群３２等が配列されている。また、機能キー群３２には、〔電源〕キー、印刷動作を指示するための〔印刷〕キー、テキスト情報入力時のデータ確定や改行および選択画面における各種モードの選択指示のための〔選択〕キー、並びに、それぞれ上（「↑」）、下（「↓」）、左（「←」）、右（「→」）方向へのカーソル移動や表示画面３６の表示範囲を移動させるための〔カーソル〕キーの他、予め装置内に記憶されていない文字や記号等を「外字」として作成するための〔外字〕キーなどが含まれる。以下、上述のような文字、記号、数字等に加え、「外字」等（例えば、絵文字のようなもの）を含めた総称として「キャラクタ」ということとする。
【００１９】
表示部３４は、任意のキャラクタを横方向及び縦方向にｎ列×ｍ行（ｎ，ｍは適当な自然数）で表示可能な表示画面３６を有するディスプレイであり、下側ケース２２内に内蔵された制御系であるマイコンチップ等による処理結果や指令等を表示できるようになっている。すなわち、表示部３４は、処理対象となるキャラクタ列を選択したり、ユーザがキーボード３３からデータや各種指令・指示等を入力してキャラクタ列を編集したり、その結果等を視認したりする際などに用いられる。尚、表示部３４の詳しい構成については、図３により後述する。
【００２０】
下側ケース２２には、テープカートリッジＣを装着するためのポケット４１が設けられており、テープカートリッジＣは、上側ケース（開閉蓋）２１を開放した状態でポケット４１に対して着脱される。テープカートリッジＣにおいて、カートリッジケース５１の内部に一定の幅のテープＴとインクリボンＲとが収容されている他、ポケット４１に配設されたヘッドユニット４２を差し込むための貫通孔５３が形成されている。また、相異なる幅等のテープＴの種別を識別できるように、ポケット４１には、マイクロスイッチ等のテープ識別センサ４３が設けられており、テープＴの種別や設定情報を検出できるようになっている。
【００２１】
また、テープＴは、印刷部材であるテープ状部材に相当するものであり、裏面に接着面が形成され、それが剥離紙によって覆われた構成になっている。テープＴとインクリボンＲは、貫通孔５３の位置で相互に重なり合った状態で走行するとともに、テープＴのみが外部に排出され、インクリボンＲは内部で巻き取られるようになっている。
【００２２】
ポケット４１の適所に設けたヘッドユニット４２には、サーマルヘッドから成る印刷ヘッド４２ａが内蔵されており、テープカートリッジＣがポケット４１に装填された状態で、印刷ヘッド４２ａが、テープカートリッジＣの貫通孔５３から露出しているインクリボンＲの裏面に当接するようになっている。そして、印刷ヘッド４２ａを発熱駆動することにより、所望の文字などのキャラクタがテープＴの表面に印刷される。
【００２３】
また、下側ケース２２の左側部には、ポケット４１と装置外部とを連通するテープ排出口４４が形成され、このテープ排出口４４には、送り出したテープＴを切断するテープカッタ４５が臨んでいる。また、ポケット４１には、装着されたテープカートリッジＣの被駆動部が係合する駆動軸４７，４８等が設けられており、内蔵された送りモータ（不図示）を駆動源として、これらの駆動軸４７，４８により、テープカートリッジＣ内のテープＴおよびインクリボンＲの送りが行われ、かつ、これらに同期して印刷ヘッド４２ａを駆動することで、印刷が行われる。また、印刷完了後、テープＴの送りが続行されテープＴに設定された切断位置がテープカッタ４５の位置まで送られる。
【００２４】
下側ケース２２の前側部には、カード状の携帯メモリデバイス６１を差し込むためのスロット４９が形成されている。このスロット４９の狭い空間に携帯メモリデバイス６１を挿入して一定の力で押し込むことにより、内蔵されたコネクタ（不図示）を介して、携帯メモリデバイス６１が下側ケース２２内の制御系であるマイコンチップ等に接続される。なお、スロット４９に装着される携帯メモリデバイス６１は、着脱自在となっており、スロット４９の開口に露出している携帯メモリデバイス６１の先端部を一定の力で引っ張ることにより、携帯メモリデバイス６１を上記コネクタから切り離してスロット４９外に引き出すことができる。
【００２５】
尚、スロット４９に挿入される携帯メモリデバイス６１は、複数の装置間で互換性のあるデータを保持することができる汎用型のメモリカードであり、例えばＳＤカード、メモリスティック等がこれに該当する。この携帯メモリデバイス６１には、印字データや印字プログラムが汎用のフォーマットで記録されている。ここで、印字データは、テープ印刷装置１０の表示部３４に表示させたり、ヘッドユニット４２によってテープＴに印刷させるべきキャラクタ等の情報を含んでおり、印字プログラムは、テープ印刷装置１０のヘッドユニット４２等によってテープＴに印刷させるための手順、印刷データ等を含んでいる。テープ印刷装置１０は、キャラクタに関するデータやその制御・処理機構を内蔵しており、単独でテープ印刷が可能であるが、上述のように、携帯メモリデバイス６１を挿入でき、外部からのデータに基づいて装置内に記憶されていない外字等のキャラクタについてテープ印刷を行うことも可能となっている。
【００２６】
このように構成されたテープ印刷装置１０の一般的な使用方法は、ユーザが、ポケット４１にテープカートリッジＣを装填した後、表示部３４により入力・編集結果を確認しながらキーボード３３を用いて所望の文字や記号等の印刷情報を入力し、印刷を指示する。この指示により、テープカートリッジＣからテープＴが繰り出され、印刷ヘッド４２ａによりテープＴに所望の印刷が行われた後、印刷済み部分はテープ排出口４４から随時外部に送り出される。そして、印刷が完了すると、余白分を含むテープ長さの位置までテープ送りが行われ、この位置でテープＴがカットされることによりラベルが作成される。
【００２７】
次に、図３を参照して、図１に示した表示部３４を含む表示装置３０の構成について説明する。図３は、一体化された表示装置３０の構成を説明するための模式的な断面図である。表示装置３０は、テープ印刷装置１０による印刷に関する内容を表示可能な表示部３４と、表示部３４を照明するバックライトである光源装置３８とを備える。
【００２８】
まず、表示部３４は、例えばアクティブマトリックス方式の液晶パネルによって構成されており、液晶分子を含み複数の画素を構成する液晶層３４ａと、液晶層３４ａを挟持する一対のガラス基板３４ａとを備える。一対のガラス基板３４ｂ、３４ｃはともに、透明なガラス板で形成されており、一対の基板として対向して液晶層３４ａを挟持するように配置されている。両ガラス基板３４ｂ、３４ｃの対向する面に透明電極が形成されており、これらにより、液晶層３４ａに画素単位で所定電圧が印加され、液晶層３４ａの各液晶画素内の液晶分子が制御されることで表示パネルとしての役割を果たす。従って、ユーザは、室内灯等による照明下、透明樹脂等によって形成されるカバー部材３９越しに表示部３４上に現れた文字等のキャラクタを視認することができる。
【００２９】
次に、光源装置３８は、複数色で発光するランプと集光用のミラーとを有する光源３８ａと、光源３８ａからの射出光を導く導光板３８ｂと、光の利用効率を高めるための光反射シート３８ｃとを備える。光源装置３８のうち、光源３８ａのランプ３８ｄは、発光色の異なる複数の固体発光素子を備え、特にここでは、発光色の異なるＲ（赤）、Ｇ（緑）及びＢ（青）のＬＥＤチップ３７ｒ、３７ｇ、３７ｂを内蔵する。ランプ３８ｄすなわち光源３８ａは、発光色の異なるＬＥＤチップ３７ｒ、３７ｇ、３７ｂを組み合わせることにより複数色で点灯し、これにより、光源装置３８は複数色の光で表示部３４を照明することを可能にしている。導光板３８ｂは、アクリル樹脂等の透明度の高い樹脂材料を用いて形成されており、表示部３４全体の背面に設置され、光源３８ａから射出された光を表示部３４全体に導く。光反射シート３８ｃは、例えば、光拡散シートにアルミニウム箔が接着されて形成されており、導光板３８ｂの背面に設置されることで、導光板３８ｂから表示部３４の反対側に漏れ出した光を再び導光板３８ｂへ入射させる。これにより、光源３８ａからの射出光の利用効率を高めることができる。以上により、光源装置３８は、表示部３４を照明するバックライトとして機能する。
【００３０】
次に、図４を参照して、図１等に示すテープ印刷装置１０の制御系の構成について説明する。テープ印刷装置１０は、ユーザとのインタフェースになる操作部であるキーボード３３や、表示部３４を含む表示装置３０、テープ種類の検出を行うためのテープ識別センサ４３のほかに、印刷ヘッド４２ａや送りモータ５５を駆動する印刷部駆動回路７１と、テープカッタ４５に切断動作を行わせるカッタモータ５６を駆動する切断部駆動回路７２と、携帯メモリデバイス６１との間でデータの送受信を行うためのインタフェース部７４と、以上の回路部分を制御しつつ適宜動作させる駆動制御部である制御処理部７７とを備える。以上において、印刷ヘッド４２ａ及び印刷部駆動回路７１は、テープＴに印刷を行うための印刷装置として機能し、テープカッタ４５、カッタモータ５６、及び切断部駆動回路７２は、テープＴを切断するカッタ機構として機能する。ここでは、このような印刷装置やカット機構といったテープ印刷装置１０におけるテープＴへの印字からテープＴのカットまでの一連の印刷動作の主要部を担う機構等を総称して装置本体１０ａと呼ぶ。また、表示装置３０は、表示部３４を駆動する表示部駆動回路３４ｓと、光源装置３８を駆動する光源装置駆動回路３８ｓとを備える。表示部駆動回路３４ｓ及び光源装置駆動回路３８ｓについても制御処理部７７により制御されることで所望の動作を行わせることができる。
【００３１】
制御処理部７７は、マイコンチップ等のＩＣで構成される制御装置であり、データや演算結果等を保管するためのデータ記憶部である記憶部７３と、記憶部７３内に蓄積されている各種データを読み出すとともに記憶部７３内に各種指令信号に応じたデータを書き込む読出書込部７６と、各装置へのデータの送信及び受信を行う入出力ポート７５と、各種演算処理を行うＣＰＵ７８とを備えることにより上述した各装置の動作を制御する。
【００３２】
記憶部７３は、ＲＯＭ７３ａやＲＡＭ７３ｂで構成される。ＲＯＭ７３ａは、制御処理部７７で処理する制御プログラムを記憶する制御プログラム領域と、文字修飾テーブルなどを含む制御データを記憶する制御データ領域と、テープ印刷装置１０に用意されているキャラクタのフォントデータを記憶するＣＧデータ領域とを有するほか、本実施形態に特有の表示を可能にするバックライト設定に応じてバックライトを制御するためのバックライト設定テーブルを含むバックライト設定データ領域ＤＤを有する。また、ＲＡＭ７３ｂは、電源がオフにされても、記憶したデータを保持しておくように図外のバックアップ回路によって電源の供給を受けており、各種レジスタ群のほか、ユーザがキーボード３３から入力したキャラクタ等のテキストデータを記憶するテキストデータ領域、テキストデータを印字する際のフォーマットを記憶するフォーマットデータ領域、携帯メモリデバイス６１から読み取った印字データや印字プログラムを一旦保管する外部データ導入領域、バッファ領域等の各種記憶領域等のほか、本実施形態に特有の表示を可能にするバックライト設定領域ＢＤを有し、制御処理のための作業領域として使用される。
【００３３】
そして、制御処理部７７は、記憶部７３に設けたＲＯＭ７３ａ内の制御プログラムに従って動作し、キーボード３３等から各種指令、各種データ、各種検出信号等の入力を受け、記憶部７３に設けたＲＡＭ７３ｂに保管された各種データ等を処理し、入出力ポート７５を介して表示部駆動回路３４ｓ、光源装置駆動回路３８ｓ、印刷部駆動回路７１、切断部駆動回路７２等に制御信号を出力することにより、表示画面３６に必要な表示を行わせるとともに、印刷ヘッド４２ａを制御して所定の印刷条件でテープＴに印刷するなど、テープ印刷装置１０全体を制御している。このような処理のうち、本実施形態の特徴的な点は、制御装置である制御処理部７７のＣＰＵ７８により、ユーザが、バックライトの動作について詳細設定を行うことを許容し支援する処理を行うことである。
【００３４】
以下、テープ印刷装置１０に係る動作について図５のフローチャートを用いて説明する。まず、ユーザがテープ印刷装置１０の電源を入れることにより、テープ印刷装置１０の本体が起動する（ステップＳ１）。ステップＳ１により、本体が起動すると、制御処理部７７の制御下でバックライトである光源装置３８が動作して、表示部３４が照明される。この際、ＣＰＵ７８は、入出力ポート７５を介して光源装置駆動回路３８ｓにコマンド信号を出力し、初期の設定として例えば光源装置３８の光源３８ａを白色で点灯させる（ステップＳ２）。つまり、表示装置３０のバックライトが白色点灯するものとなる。ステップＳ２によるバックライトの点灯がなされるとともに、モード設定手段として動作するＣＰＵ７８によって入出力ポート７５を介して表示部駆動回路３４ｓに適宜コマンド信号が送信され、表示部駆動回路３４ｓが当該コマンド信号に従って表示部３４を駆動することにより、表示部３４上には各種設定を行うためのメニュー画面が表示される。ユーザは、キーボード３３を適宜操作することにより種々の設定が可能である。ここでは、各種メニュー画面のうち、特にバックライト設定を受け付ける動作について説明するが（ステップＳ３）、その他の様々な設定も受け付けられる構成となっている。ここで、バックライト設定とは、装置本体１０ａ等の動作に対応して光源装置３８による点灯色や点灯タイミング等を含む種々の点灯条件を指定する点灯モードの設定を意味する。バックライト設定について、当該設定に関する指令信号がユーザのキーボード３３の操作によりなされると、ＣＰＵ７８は、当該指令信号に応じたバックライト設定での動作を可能とするために、読出書込部７６を介してＲＡＭ７３ｂのバックライト設定領域ＢＤにＲＯＭ７３ａのバックライト設定データ領域ＤＤを照合させるための情報を一時記憶させる。ＣＰＵ７８は、ＲＡＭ７３ｂのバックライト設定領域ＢＤに記憶された情報に基づいてバックライトの制御を行うべく入出力ポート７８を介して光源装置駆動回路３８ｓに適宜コマンド信号を送信することができる。尚、ステップＳ３のバックライト設定における点灯条件や具体的な設定方法についてより詳しくは、図６により後述する。以上により、ＣＰＵ７８は、上記バックライト設定により設定された具体的な点灯条件に応じて光源装置３８の制御を行う光源制御手段として機能する。
【００３５】
ステップＳ３において、バックライト設定が終了すると、表示部３４上にブランク表示がなされ、印刷させるべき内容を入力することが可能となる。つまり、ユーザは、キーボード３３等を適宜操作して各種設定やキャラクタ入力等を行うことができる。ＣＰＵ７８は、ユーザによるキーボード３３の操作による指令信号に応じて表示部３４等に表示動作を行わせるための信号を適宜送信し、表示部３４上に入力内容が表示される（ステップＳ４）。
【００３６】
次に、ユーザによるキーボード３３の操作のうち、印刷動作を指示するための〔印刷〕キーの入力があると、ＣＰＵ７８は、印刷動作をする旨の指令があったものと判断し（ステップＳ５）、テープＴへの印字開始からテープカット完了までの一連の印刷動作処理を行う（ステップＳ６）。ステップＳ５において印刷動作指令がない場合、または、ステップＳ６における一連の印刷動作が完了した場合、ＣＰＵ７８は、テープ印刷装置１０全体の動作終了の指令信号がなされているか否かを判断する（ステップＳ７）。ステップＳ７において、ＣＰＵ７８が動作終了の指令信号がなされていると判断すると、テープ印刷装置１０の全動作を終了させるための処理がなされ、電源がＯＦＦとなる（ステップＳ８）。これによりバックライトも消灯する。一方、ステップＳ７において、動作終了の指令信号がないと判断された場合には、ステップＳ３のバックライト設定の受け付け処理に戻る。ここで、バックライト設定の受け付け処理は、結果的に必要に応じて随時行われるいわゆる割り込み処理となっている。従って、当該処理は、ステップＳ６の印刷動作の時を除いて、例えばキーボード３３の機能キー群３２等の操作によって必要に応じて随時開始することができる。
【００３７】
次に、図６により、図５で説明したステップ３の割り込み処理で受け付けるバックライトの設定処理について説明する。図６は、図５のステップＳ３におけるバックライト設定処理についてのフローチャートである。
【００３８】
ステップＳ３において、ユーザの操作によりキーボード３３からバックライト設定メニューを選択すべき指令信号がなされると、ＣＰＵ７８は、入出力ポート７５を介して表示部駆動回路３４ｓに対し表示部３４上にバックライト設定画面を表示させるためのコマンド信号を送信する。当該コマンド信号に応じて表示部駆動回路３４ｓが表示部３４を駆動させることで、表示部３４上にバックライト設定画面が表示される（ステップＳ１０１）。
【００３９】
ここで、バックライト設定のメニューとしては、種々のものが考えられるが、例えば、図８の樹形図によって一覧で示すようなものが考えられる。つまり、図８の場合、バックライトの設定において、「点灯設定」１０４ａ、「色設定」１０５ａ、「光量設定」１０６ａ、「点灯間隔設定」１０７ａ及び「設定終了」１０８ａの各設定項目が選択可能である。各設定項目についてさらに具体的には、例えば、「点灯設定」１０４ａでは、図８のように、点灯タイミングの指定として「常時点灯」、「常時消灯」及び「エラー時点灯」の設定項目１０４ｂがあり、点灯タイミングの指定をＣＰＵ７８が許諾することで上記設定項目１０４ｂの設定を行うことができる。また、「色設定」１０５ａでは、「白色」、「赤色」等の設定項目１０５ｂがあり、色調整即ち点灯時の色の指定をＣＰＵ７８が許諾することで上記設定項目１０５ｂの設定を行うことが可能であり、「光量設定」１０６ａでは、「＋３」、「＋２」等の設定項目１０６ｂがあり、設定項目１０６ｂの選択による光量調整の指定をＣＰＵ７８が許諾することで照明の光量を決定でき、「点灯間隔設定」１０７ａでは、「０．２ｓｅｃ」、「０．４ｓｅｃ」等の設定項目１０７ｂがあり、設定項目１０７ｂの選択による点灯間隔調整の指定をＣＰＵ７８が許諾することで、例えばエラー発生時に点滅動作を行うといった場合における点滅動作での点灯間隔の設定を行うことができる。ここで、例えば、設定項目１０７ｂのうち「０．２ｓｅｃ」が選択されると、０．２秒を１サイクルとして、０．２秒間のうち、まず前半の時間である０．１秒間は点灯し、後半の０．１秒間は消灯するという点灯間隔で点滅動作を行う。設定項目１０７ｂの他の選択項目を選択した場合も同様に１サイクルの時間のうち半分が点灯し、残りの半分が消灯するという点滅動作を行う。尚、これらの設定に応じた制御を行うためのプログラムは、ＲＯＭ７３ａのバックライト設定データ領域ＤＤにデータとして蓄積されている。
【００４０】
ユーザにより、これらの各種設定項目から自己が設定したい項目について選択すべく機能キー群３２等の操作がなされることによりキーボード３３（操作部）から設定すべき項目についての指令信号がＣＰＵに送信される（ステップＳ１０２）。ＣＰＵ７８は、当該コマンド信号を受けると、ステップＳ１０２で選択された設定項目に応じた画面表示をするために入出力ポート７５を介して表示部駆動回路３４ｓに適宜コマンド信号を送信する処理を行う（ステップＳ１０３）。つまり、例えば、ユーザの操作により「点灯設定」１０４ａが選択された場合には、これに応じて表示部駆動回路３４ｓが動作して表示部３４上に「点灯設定」を行うための表示画面が現れ、点灯設定処理に進む（ステップＳ１０４）。同様に、図８の「色設定」１０５ａ、「光量設定」１０６ａ及び「点灯間隔設定」１０７ａの各設定項目が選択された場合にもそれぞれに応じた表示画面が表示部３４上に現れ、色設定処理、光量設定処理及び点灯間隔設定処理に進む（ステップＳ１０５〜ステップＳ１０７）。一方、「設定終了」１０８ａの項目が選択され、その旨の信号がキーボード３３よりＣＰＵ７８に送信された場合には、ＣＰＵ７８は、バックライト設定が終了したものと判断して、図５のメインフローチャートに戻る。
【００４１】
図７（ａ）〜（ｄ）は、それぞれ図６のバックライト設定処理において、「点灯設定」１０４ａ、「色設定」１０５ａ、「光量設定」１０６ａ及び「点灯間隔設定」１０７ａが選択された場合の設定処理について説明するフローチャートである。例えば、図６において、「点灯設定」１０４ａが選択され、ステップＳ１０４に進むと、図７（ａ）のように、まず、ＣＰＵ７８は、入出力ポート７５を介して表示部駆動回路３４ｓに表示部３４上に点灯設定画面を表示させるためのコマンド信号を送信する。当該コマンド信号に応じて表示部駆動回路３４ｓが表示部３４を駆動させることで、表示部３４上に点灯設定画面が表示される（ステップＳ１０４１）。ここで、例えば図８の場合、点灯タイミングの設定では、「常時点灯」、「常時消灯」及び「エラー時点灯」の各設定項目１０４ｂが選択可能である。ユーザにより、設定項目１０４ｂから選択がなされると、これに応じてキーボード３３から指令信号がＣＰＵに送信される（ステップＳ１０４２）。ＣＰＵ７８は、当該コマンド信号を受けると、ステップＳ１０４２で選択された設定項目に応じて決定された点灯タイミングの設定処理を行う（ステップＳ１０４３）。つまり、ＣＰＵ７８は、選択された設定項目についての情報をＲＡＭ７３ｂのバックライト設定領域ＢＤのうち点灯設定領域Ｄ１に読取部７６を介して記憶させ、ステップＳ１０５〜ステップＳ１０７の処理を設定項目１０４ｂに関連付けるととともに、光源装置３８の制御を記憶された当該情報に基づいて行う。ステップＳ１０４３での点灯設定が終了すると、図６のバックライト設定のフローチャートに戻る。以上により、ステップＳ１０４での処理が終了すると、ＣＰＵ７８は、再び、バックライト設定処理の表示画面に戻すべく入出力ポート７５を介して表示部駆動回路３４ｓに適宜コマンド信号を送信し、表示部３４には、各種設定選択のための表示画面が再度現れる。以上の動作が、設定終了処理が選択されるすなわちステップＳ１０８の処理に進むまで繰り返される。
【００４２】
他の各種設定処理についても同様であり、色設定処理については図７（ｂ）に示すように、色設定画面表示（ステップＳ１０５１）、色選択処理（ステップＳ１０５２）及び色決定処理（ステップＳ１０５３）がなされる。この際設定された情報は、ＲＡＭ７３ｂの色設定領域Ｄ２に記憶される。光量設定処理については図７（ｃ）に示すように、光量設定画面表示（ステップＳ１０６１）、光量選択処理（ステップＳ１０６２）及び光量決定処理（ステップＳ１０６３）がなされる。この際設定された情報は、ＲＡＭ７３ｂの光量設定領域Ｄ３に記憶される。点灯間隔設定処理については図７（ｄ）に示すように、光量設定画面表示（ステップＳ１０７１）、光量選択処理（ステップＳ１０７２）及び光量決定処理（ステップＳ１０７３）がなされる。この際設定された情報は、ＲＡＭ７３ｂの点灯間隔設定領域Ｄ４に記憶される。以上のように、それぞれ設定処理が行われて、図６のフローチャートに戻る。つまり、図６の各ステップＳ１０５〜Ｓ１０７での処理が終了する毎に、ＣＰＵ７８からのコマンド信号に従って、表示部３４には、各種設定選択のための表示画面が現れ、上述した動作が、設定終了処理が選択されるすなわちステップＳ１０８の処理に進むまで繰り返される。
【００４３】
図９（ａ）〜（ｏ）は、ステップＳ３において述べたバックライト設定についての操作の一例を説明するための図である。まず、図９（ａ）のようなバックライト設定画面が表示される。ユーザは、キーボード３３の〔カーソル〕キーを適宜操作することで、各設定項目のうちの１つが反転表示されることで選択が可能となっており、ユーザは選択したい項目を反転表示させて所定のキー（例えば選択あるいは改行キー）入力により決定することで上述のようにＣＰＵ７８が動作して項目選択（図９（ａ）、（ｂ）では「点灯設定」を選択）がなされる。この際、さらに、ＣＰＵ７８が表示部駆動回路３４ｓに適宜コマンド信号を送信することで、図９（ｂ）のように選択された項目を示す画面表示とすることも可能である。図９（ｂ）のように、「点灯設定」が選択されると、図９（ｃ）のような点灯設定画面が表示され、ユーザは、キーボード３３の〔カーソル〕キーの操作により各項目から１つ（具体的には「常時点灯」）を図９（ｄ）のように選択できる。このような選択がなされると、上述のように再び図９（ｅ）に示すようなバックライト設定画面に戻る。詳細な説明は省略するが、以下同様にして、図９（ｆ）のように「色設定」が選択されると、図９（ｇ）のような色設定画面が表示され、例えば図９（ｈ）のように選択でき、このような選択がなされると、図９（ｉ）に示すようなバックライト設定画面に戻る。さらに、図９（ｊ）のように「光量設定」が選択されると、図９（ｋ）のような光量設定画面が表示され、例えば図９（ｌ）のように選択でき、このような選択がなされると、図９（ｍ）に示すようなバックライト設定画面に戻る。以上の様な操作により、「点灯設定」のみならず、「色設定」、「光量設定」及び「点灯間隔設定」の各項目の設定処理も行うことができる。図９（ｆ）〜図９（ｍ）に示した一連の操作により、各項目の設定がなされた後、図９（ｎ）に示すように、「設定終了」の項目が選択されると、ＣＰＵ７８は、図６において説明したＳ１０８による処理を行い、ステップＳ３での処理が終了し、図９（ｏ）に示すテキスト表示画面となり、印字入力処理に進む（図５：ステップＳ４）。
【００４４】
以上のようなバックライト設定における動作により、ユーザ指定の色でバックライトを点灯させることができる。また、同様に、エラー発生時についても、ユーザ指定の色及び点灯間隔で点滅動作をさせることもできる。
【００４５】
〔第２実施形態〕
第１実施形態では、テープ印刷装置の全般動作あるいはエラー発生時の動作におけるバックライト設定について説明したが、第２実施形態では、さらに、第１実施形態のステップＳ６に示した印刷動作時の状況に応じて点灯の状態を変化させるものについて説明する。
【００４６】
図１０（ａ）、（ｂ）は、本実施形態に係るテープ印刷装置の動作のうち、特徴的な動作部分について説明するフローチャートである。尚、本実施形態に係るテープ印刷装置の外観、構成等は第１実施形態と同等であるので、必要に応じて第１実施形態の図を参照するものとし、図示及び説明を省略する。図１０（ａ）、（ｂ）は、メインフローチャートである図５で説明する処理のうち、本実施形態にかかる特徴部分であるステップＳ４の印字入力受付処理と、ステップＳ６の印刷処理についてそれぞれ説明するものである。ステップＳ４及びステップＳ６以外のテープ印刷装置全般についての処理動作は、特に説明しない限り、第１実施形態の図５により説明したものと同様であるので、説明を省略する。
【００４７】
本実施形態に係るテープ印刷装置においても、図５において、第１実施形態と同様にステップＳ３でのバックライト設定により、種々の設定が可能となっている。ここで、本実施形態では、特に、図１１に示すように、点灯タイミングの設定を行う「点灯設定」２０４ａでは、「常時点灯」、「常時消灯」及び「エラー時点灯」に加え、さらに「オートカッター時点灯」、「印刷時点灯」及び「印刷完了通知時点灯」の各設定項目２０４ｂが選択可能である。尚、その他の「各種設定」２０５ａ〜２０７ａ、「設定終了」２０８ａ及び設定項目２０５ｂ〜２０７ｂについては、図８と同様であるので説明を省略する。
【００４８】
図１１に示す「点灯設定」２０４ａの各設定項目２０４ｂのうち、例えば「印刷時点灯」が第１実施形態と同様の操作により選択されると、ＣＰＵ７８は、選択された設定項目についての情報をＲＡＭ７３ｂに記憶させる。また、第１実施形態と同様に「色設定」２０５ａ等の選択がなされると、設定項目２０４ｂに関連付けられてＲＡＭ７３ｂに記憶される。以上により、「印刷時点灯」での色設定等を行うことができる。また、「オートカッター時点灯」や「印刷完了通知時点灯」等の各設定項目についても同様にそれぞれ色設定等の設定が可能となっている。以上のように、本実施形態では、ユーザによるキーボード３３の操作により、「オートカッター時点灯」、「印刷時点灯」及び「印刷完了通知時点灯」でのバックライト設定がそれぞれ可能であるが、ここでは、一例として、図１１に例示した「点灯設定」１０４ａの設定項目１０４ｂのうち、「印刷時点灯」は黄色点灯、「オートカッター時点灯」は黄色点滅、「印刷完了通知時点灯」は青色点灯に設定されているものとして説明する。ここで、点滅動作については、「点灯間隔設定」２０７ａにおいて適宜点灯間隔が定められることにより点滅動作が可能となる。「点灯間隔設定」２０７ａの設定が特になされない場合には、通常の点灯動作となる。尚、これらの設定についても、ＲＡＭ７３ｂのバックライト設定領域ＢＤにおいて適宜記憶されることで、ＣＰＵ７８により適切な制御がなされる。
【００４９】
ステップＳ３において、上述のようなバックライト設定が終了すると、表示部３４上にブランク表示がなされ、印刷させるべき内容を入力することが可能となり、ユーザは、キーボード３３等を適宜操作して各種設定やキャラクタ入力等を行うことができる。ＣＰＵ７８は、ユーザによるキーボード３３の操作による指令信号に応じて表示部３４等に表示動作を行わせるための信号を適宜送信し、表示部３４上に入力内容が表示される（ステップＳ４）。
【００５０】
図１０（ａ）は、本実施形態に係るステップＳ４での印字入力受付処理についてのフローチャートである。まず、キャラクタ入力等の印字入力の受付が可能となると、ＣＰＵ７８は、表示部３４を通常の表示動作状態における設定色（例えば白色）で照明し、ユーザの操作によるキー入力の有無を判断する（ステップＳ２０１）。ステップＳ２０１において、キー入力がなされていると判断すると、ＣＰＵ７８は、表示部３４の照明を通常の表示動作状態における設定色に保つ処理をし、光源装置駆動回路３８ｓにより光源３８ａの照明色を維持させ（ステップＳ２０２）、文字表示等のキー入力に応じた処理が適宜行われる（ステップＳ２０３）。以上により、ステップＳ４での処理を終了し、図５のメインフローチャートに戻る。尚、通常の表示動作状態における発光色の設定色は、「点灯設定」２０４ａの「常時点灯」についての色設定を行うことにより定まり、例示したように白色である場合も含まれる。
【００５１】
次に、ユーザによるキーボード３３の操作のうち、印刷動作を指示するための〔印刷〕キーの入力があると、ＣＰＵ７８は、印刷動作をする旨の指令があったものと判断し（ステップＳ５）、一連の印刷動作を行うべく処理を行う（ステップＳ６）。ここで、ＣＰＵ７８が、〔印刷〕キーの入力を受け取ることにより、装置本体１０ａを構成する印刷部駆動回路７１等を含む印刷装置は、印刷の待機状態から、非待機状態つまり印刷動作を行う状態となる。尚、〔印刷〕キーの入力があると、制御処理部７７は、以後のキー入力を受け付けさせないための処理（但し、強制終了させるためのデリートキーのキー入力のような強制的な割り込み操作を除く）を行う。
【００５２】
図１０（ｂ）は、上記ステップＳ６での印刷処理についてのフローチャートである。ステップＳ６において、キーボード３３から〔印刷〕キーの入力あった旨の信号を受け取ると、ＣＰＵ７８は、上述したバックライト設定に基づいて表示部３４の表示動作状態を通常の表示動作状態から非通常の表示動作状態における発光色で点灯制御するための処理を行う。より具体的には、ＣＰＵ７８は、まず、光源装置駆動回路３８ｓを介して光源３８ａを適宜駆動させて、印刷動作時である旨を示す有彩の第１色としてバックライトを黄色で点灯させるための処理を行う（ステップＳ２１１）。つまり、ＣＰＵ７８は、光源装置３８の動作を黄色点灯とする旨のコマンド信号を、光源装置駆動回路３８ｓに対して入出力ポート７５を介して送信する。光源装置駆動回路３８ｓは、当該コマンド信号に従って、光源３８ａを黄色点灯で駆動させる。また、この際、ＣＰＵ７８は、装置本体１０ａの動作を制御する駆動制御部として印字動作を開始させるべく所定の信号を、印刷部駆動回路７１に対して入出力ポート７５を介して送信する。以上のように、表示装置３０におけるバックライトである光源装置３８が黄色に点灯した状態で、印刷開始の処理が行われる（ステップＳ２１２）。
【００５３】
印刷部駆動回路７１による印字処理が終了し、印刷部駆動回路７１からその旨の信号をＣＰＵ７８が入出力ポート７５を介して受け取ると（ステップＳ２１３）、ＣＰＵ７８は、光源装置３８の動作を黄色点滅とする旨のコマンド信号を、光源装置駆動回路３８ｓに対して入出力ポート７５を介して送信する。光源装置駆動回路３８ｓは、当該コマンド信号に従って、光源３８ａを黄色の点滅で駆動させる（ステップＳ２１４）。また、ＣＰＵ７８は、装置本体１０ａの動作を制御する駆動制御部としてテープカット動作を開始させるべく所定の信号を、切断部駆動回路７２に対して入出力ポート７５を介して送信する。以上のように、ステップＳ１０により、表示装置３０におけるバックライトである光源装置３８が黄色に点滅した状態で、テープカットが開始される（ステップＳ２１５）。尚、本実施形態では、各有彩の色の区別については、色のみではなく、点灯・点滅によっても区別するものとする。つまり、有彩の第１色としての黄色点灯と有彩の第２色としての黄色点滅とは異なる有彩の色であるものとする。もちろん、黄色の点滅ではなく黄色以外の別の色を点灯させてもよい。
【００５４】
切断部駆動回路７２によるテープカット処理が終了し、切断部駆動回路７２からその旨の信号をＣＰＵ７８が入出力ポート７５を介して受け取ると（ステップＳ２１６）、ＣＰＵ７８は、光源装置駆動回路３８により光源３８ａを適宜駆動させて、テープカットが完了し、印刷処理が終了した旨を示す有彩の第３色として光源３８ａを青色で点灯させるための処理を行う（ステップＳ２１７）。つまり、ＣＰＵ７８は、光源装置３８の動作を青色点灯とする旨のコマンド信号を、光源装置駆動回路３８ｓに対して入出力ポート７５を介して送信する。光源装置駆動回路３８ｓは、当該コマンド信号に従って、光源３８ａを青色点灯で駆動させる。
【００５５】
ここで、ステップＳ２１７の処理が行われると、制御処理部７７は、印刷動作開始時に設定した強制終了等の特定キー以外の入力を受け付けさせないための処理を解除する。これによりユーザは、再びキー入力操作等が可能となる。また、一連の印刷操作が終了することで、装置本体１０ａの印刷部駆動回路７１や切断部駆動回路７２等は、再び待機状態となる。以上により、ステップＳ６での処理を終了し、メインフローチャートに戻る。
【００５６】
ステップＳ６による印刷処理の後、ステップＳ７において本体動作が終了されない場合には、再びステップＳ４に戻り、図１０（ａ）に示す処理が行われる。ここで、ユーザによるキー入力がなされると、ＣＰＵ７８は、光源装置３８を構成する光源３８ａの発光色を非通常の表示動作状態における発光色である青色から、通常の表示動作状態における設定色（例えば白色）に戻す処理を行う（ステップＳ２０２）。また、ＣＰＵ７８は、ステップＳ６でのテープカット完了後から所定期間経過してもユーザからのキー入力がない場合であっても、非通常の表示動作状態から通常の表示動作状態に戻すための処理を行う。このため、まず、光源３８ａの発光色が通常表示に対応する設定色であるか否かを判断する（ステップＳ２０４）。ここで、光源３８ａの発光色が既に設定色である場合には、既に通常の表示動作状態に戻っていると判断し、特に処理を行わず、ステップＳ４での処理を終了する。ステップＳ２０４において、設定色でないと判断した場合には、ＣＰＵ７８は、さらに図１０（ｂ）に示すステップＳ２１７での処理によって光源３８ａが青色点灯となってから１秒未満であるか否かを判断する（ステップＳ２０５）。より具体的には、ステップＳ２１７において、ＣＰＵ７８は、切断部駆動回路７２からテープカット処理が終了した旨の信号を受け取ると、ステップＳ２１４により、光源３８ａを適宜駆動させて、表示装置３０のバックライトである光源装置３８を青色で点灯させるためのコマンド信号を送信するとともに、青色点灯の経過時間を計るために、ＲＡＭ７３ｂの所定領域に青色点灯の時刻に関する情報を記憶させる。ＣＰＵ７８は、読取部７６を介して青色点灯の時刻に関する情報を読み出して時刻を不図示のタイマと照合することで所定期間（ここでは１秒）が経過したか否かの判断を行う。図１０（ａ）のステップＳ２０５において、光源３８ａの発光色が青色点灯となってから１秒未満であると判断された場合には、引き続きテープカット完了時である旨を示すべく光源３８ａを青色点灯としたままとする。つまり、この場合、ＣＰＵ７８は、光源３８ａを駆動させるための特段の処理を行わない。一方、ステップＳ２０５において、光源３８ａが青色点灯となってから１秒以上経過していると判断した場合には、ＣＰＵ７８は、光源３８ａを設定色で点灯させる処理を行う（ステップＳ２０６）。つまり、ＣＰＵ７８は、光源装置３８の動作を設定色点灯とする旨のコマンド信号を、光源装置駆動回路３８ｓに対して入出力ポート７５を介して送信する。光源装置駆動回路３８ｓは、当該コマンド信号に従って、光源３８ａを設定色で点灯させる。これにより、ユーザは、テープカットが既に完了し、通常の表示動作状態に戻っていることを認識できる。
【００５７】
尚、ＣＰＵ７８は、テープ印刷装置１０の電源が一旦ＯＦＦされ、再び起動させる際には、電源ＯＦＦ時の表示動作状態に関係なく、初期の設定を通常の表示動作状態において白色光で光源３８ａを点灯させるものとしてもよい。
【００５８】
以上のような設定とする結果、ＣＰＵ７８は、印刷部駆動回路７１等の装置本体１０ａが印刷動作でない状態であるときは、光源３８ａを通常の表示動作状態における設定色（例えば白色）で点灯させ、装置本体１０ａが印刷動作状態であるときは、光源３８ａを非通常の表示動作状態における発光色で点灯させるものとなる。本実施形態の場合、特に、非通常の表示動作状態における発光色について、バックライトの点灯動作を、印刷装置の印字動作時に黄色点灯、テープカット動作時に黄色点滅、テープカット完了時に青色点灯としている。これにより、本実施形態に係るテープ印刷装置１０は、バックライトを構成する光源３８ａの照明によって表示文字の視認性の向上をさせ、かつ、光源３８ａの点灯動作を変化させて印刷動作の状況をユーザに告知することを同一画面において簡易に行うことができる。また、特に、この非通常の表示動作状態における発光色についてのバックライト設定は、ユーザにより設定可能なものである。従って、ユーザ自身にとって覚え易い設定とすることが可能である。尚、本バックライト設定において、異なる動作状況において同じ発光色とならないように、例えば、設定していく順番に応じて選択できる色が減っていくように制限をかけてもよい。
【００５９】
以上第１、２実施形態について説明したが、各実施形態はいずれも本願に係る発明の一例であり、この他にも種々の実施形態が考えられる。例えば、図３の光源３８ａには、固体光源素子としてＬＥＤ（発光ダイオード）を用いたが、固体光源素子としては、これに限らず有機ＥＬ等も使用可能である。また、複数の固体光源素子を用いるにあたって、例えば異なる発光色としてＲ（赤色）、Ｇ（緑色）及びＢ（青色）のものを用い、これらを組み合わせたが、この場合、上記実施形態のような白色、黄色及び青色はもちろんのことこれ以外の発光色で点灯・点滅させることも可能である。また、異なる発光色としては、ＲＧＢに限らず種々のものを用いることが可能である。また、表示部３４は、アクティブマトリックス方式の液晶パネルによる構成以外にも、例えば単純マトリックス方式の液晶パネル等種々のものを用いることが可能である。また、図２（ｂ）のように、テープ状部材として帯状の印刷部材を用いたテープ印刷装置を用いているが、印刷部材はテープ状のものに限らず、例えば、ラベル型の印刷部材や通常の印刷用紙に印刷を行うテープ印刷装置に対しても利用可能である。
【図面の簡単な説明】
【００６０】
【図１】第１実施形態に係るテープ印刷装置の外観斜視図である。
【図２】（ａ）は、図１のテープ印刷装置の開蓋状態を示す外観斜視図であり、（ｂ）は、テープ印刷装置に装填されるテープカートリッジを示す外観斜視図である。
【図３】第１実施形態に係る表示装置について説明するための模式図である。
【図４】図１のテープ印刷装置の制御系のブロック図である。
【図５】テープ印刷装置に係る動作について説明するフローチャート図である。
【図６】バックライト設定処理について説明するフローチャート図である。
【図７】各種設定処理について説明するフローチャート図である。
【図８】バックライトの設定についての一覧を示す図である。
【図９】（ａ）〜（ｏ）は、バックライトの設定動作例について説明する図である。
【図１０】（ａ）、（ｂ）は、第２実施形態に係るテープ印刷装置を説明する図である。
【図１１】バックライトの設定についての一覧を示す図である。
【符号の説明】
【００６１】
１０…テープ印刷装置、  ２０…装置ケース、  ３０…表示装置、  ３３…キーボード、  ３４…表示部、  ３６…表示画面、  ３８…光源装置、  ４２…ヘッドユニット、  ４２ａ…印刷ヘッド、  ４４…テープ排出口、  ４５…テープカッタ、  ７７…制御処理部、  ７８…ＣＰＵ、  Ｃ…テープカートリッジ、  Ｒ…インクリボン、  Ｔ…テープ
【図１】
2008213251.tif 000003
【図２】
2008213251.tif 000004
【図３】
2008213251.tif 000005
【図４】
2008213251.tif 000006
【図５】
2008213251.tif 000007
【図６】
2008213251.tif 000008
【図７】
2008213251.tif 000009
【図８】
2008213251.tif 000010
【図９】
2008213251.tif 000011
【図１０】
2008213251.tif 000012
【図１１】
2008213251.tif 000013